【手続補正書】
【提出日】平成17年11月24日(2005.11.24)
【手続補正１】
【補正対象書類名】特許請求の範囲
【補正対象項目名】全文
【補正方法】変更
【補正の内容】
【特許請求の範囲】
【請求項１】
タイヤトレッドを構成するのに使用できる架橋性又は架橋ゴム組成物であって、少なくとも、強化無機充填剤、エマルションで調製され且つその鎖に沿ってカルボン酸官能基を含む、３０％を超える共役ジエン由来の単位のモル比を有するジエンエラストマー、及び前記強化無機充填剤と前記エラストマーとの間の多硫化アルコキシシランを含む結合剤をベースとし、前記エラストマーは、乳化溶液中で、少なくとも１種の共役ジエンモノマーと、カルボン酸に加水分解できるか酸化できる前駆体コモノマーとをラジカル共重合させてその鎖に沿って前記酸の前駆体官能基を含む中間体ジエンエラストマーを得、次いで、前記前駆体官能基の加水分解又は酸化を行う事によってその鎖に沿ってカルボン酸官能基を含む前記エラストマーを得る事によって得る事ができる事を特徴とするゴム組成物。
【請求項２】
前記前駆体コモノマーが、前記酸を形成する為に加水分解できる不飽和カルボン酸誘導体である、請求項１に記載のゴム組成物。
【請求項３】
前記前駆体コモノマーが、式：Ｒ1−Ｃ（Ｏ）Ｏ−Ｒ2（式中、Ｒ1は、少なくとも１個の二重結合を含む脂肪族又は脂環式炭化水素基、又は少なくとも１個の二重結合を含む置換基が結合している芳香族炭化水素基であり、Ｒ2はアルキル基である）の不飽和エステルである、請求項２に記載のゴム組成物。
【請求項４】
前記前駆体コモノマーが、アルキルアクリレート、アルキルメタクリレート及びアルキルトランス−３−フェニルプロペノエートで構成される群に属する、請求項３に記載のゴム組成物。
【請求項５】
前記前駆体コモノマーがｔ−ブチルアクリレート又はメタクリレートである、請求項４に記載のゴム組成物。
【請求項６】
前記前駆体コモノマーが、式：Ｒ3−Ｃ（Ｏ）Ｎ−Ｒ4Ｒ5（式中、Ｒ3は、少なくとも１個の二重結合を含む脂肪族又は脂環式炭化水素基、又は少なくとも１個の二重結合を含む置換基が結合している芳香族炭化水素基であり、Ｒ4及びＲ5は、それぞれが窒素原子に結合しているアルキル基である）の不飽和アミドである、請求項２に記載のゴム組成物。
【請求項７】
前記前駆体コモノマーが、アクリルアミド、メタクリルアミド、Ｎ，Ｎ−ジメチルアクリルアミド、Ｎ，Ｎ−ジメチルメタクリルアミド、Ｎ−メチルシンナミド、Ｎ−ｔ−ブチルシンナミド及びＮ，Ｎ−ジメチルシンナミドから成る群に属する、請求項６に記載のゴム組成物。
【請求項８】
前記前駆体コモノマーが、式：Ｒ6−ＣＮ（式中、Ｒ6は、少なくとも１個の二重結合を含む脂肪族又は脂環式炭化水素基、又は少なくとも１個の二重結合を含む置換基が結合している芳香族炭化水素基である）の不飽和ニトリルである、請求項２に記載のゴム組成物。
【請求項９】
前記前駆体コモノマーが、アクリロニトリル、メタクリロニトリル、ビニルアセトニトリル及び３−フェニルプロペニトリルから成る群に属する、請求項８に記載のゴム組成物。
【請求項１０】
前記前駆体コモノマーが、少なくとも１個の二重結合を含む不飽和ジカルボン酸無水物である、請求項２に記載のゴム組成物。
【請求項１１】
前記前駆体コモノマーが、無水マレイン酸及び無水シトラコン酸から成る群に属する、請求項１０に記載のゴム組成物。
【請求項１２】
前記前駆体コモノマーがカルボン酸に酸化可能であり且つ、式：Ｒ7−ＯＨ（式中、Ｒ7は、少なくとも１個の二重結合を含む脂肪族又は脂環式炭化水素基、又は少なくとも１個の二重結合を含む置換基が結合している芳香族炭化水素基である）の不飽和アルコール、及び式：Ｒ8−ＣＨＯ（式中、Ｒ8は、少なくとも１個の二重結合を含む脂肪族又は脂環式炭化水素基、又は少なくとも１個の二重結合を含む置換基が結合している芳香族炭化水素基である）の不飽和アルデヒドから成る群に属する、請求項１に記載のゴム組成物。
【請求項１３】
前記前駆体コモノマーが、アリルアルコール、クロチルアルコール、メタアリルアルコール及びシンナミルアルコールから成る群に属する不飽和アルコールである、請求項１２に記載のゴム組成物。
【請求項１４】
前記前駆体コモノマーが、クロトンアルデヒド及びシンナムアルデヒドから成る群に属する不飽和アルデヒドである、請求項１２に記載のゴム組成物。
【請求項１５】
前記ジエンエラストマーが、５０％を超える、共役ジエン由来の単位のモル比を含む、請求項１〜１４のいずれか１項に記載のゴム組成物。
【請求項１６】
前記ジエンエラストマーが、ポリブタジエン、ブタジエン／スチレンコポリマー及びブタジエン／スチレン／イソプレンコポリマーから成る群に属する、請求項１５に記載のゴム組成物。
【請求項１７】
鎖に沿ってカルボン酸官能基を有する前記ジエンエラストマーが、合計量で３．５ｐｈｒ（ｐｈｒ：エラストマーの１００部当りの質量部）未満の乳化剤量を含む、請求項１〜１６のいずれか１項に記載のゴム組成物。
【請求項１８】
鎖に沿ってカルボン酸官能基を有する前記ジエンエラストマーが、パラフィン、芳香族又はナフテン系油と０〜５０ｐｈｒの量のエクステンダー油とを使用して油展されている、請求項１〜１７のいずれか１項に記載のゴム組成物。
【請求項１９】
鎖に沿ってカルボン酸官能基を有する前記ジエンエラストマーが、１００，０００ｇ／ｍｏｌを超える分子量を有する、請求項１〜１８のいずれか１項に記載のゴム組成物。
【請求項２０】
前記組成物のエラストマーマトリックスが、鎖に沿ってカルボン酸官能基を含む前記ジエンエラストマーを大部分の割合で又はそれだけで含む、請求項１〜１９のいずれか１項に記載のゴム組成物。
【請求項２１】
前記強化無機充填剤が、前記ゴム組成物中に、４０ｐｈｒ（ｐｈｒ：ジエンエラストマーの１００部当りの質量部）以上の量で存在する、請求項１〜２０のいずれか１項に記載のゴム組成物。
【請求項２２】
前記ゴム組成物が、充填剤における強化無機充填剤の質量分率が５０％を超え１００％以下である様な大部分の割合で又はそれだけで含む充填剤を含む、請求項１〜２１のいずれか１項に記載のゴム組成物。
【請求項２３】
前記無機充填剤が、一部に又はその全体にシリカを含む、請求項１〜２２のいずれか１項に記載のゴム組成物。
【請求項２４】
前記無機充填剤が、一部に又はその全体にアルミナを含む、請求項１〜２２のいずれか１項に記載のゴム組成物。
【請求項２５】
前記無機充填剤が、一部に又はその全体にシリカで表面変性されたカーボンブラックを含む、請求項１〜２２のいずれか１項に記載のゴム組成物。
【請求項２６】
請求項１〜２５のいずれか１項に記載の架橋性又は架橋ゴム組成物の製造方法であって、
（ｉ）乳化溶液中において、少なくとも１種の共役ジエンモノマーと、カルボン酸に加水分解できるか酸化できる前駆体コモノマーとのラジカル共重合によってその鎖に沿って前記酸の前駆体官能基を含む中間体ジエンエラストマーを得、次いで、前記前駆体官能基の加水分解又は酸化を使用してその鎖に沿ってカルボン酸官能基を含む前記エラストマーを得る事によって、鎖に沿ってカルボン酸官能基を含み且つ３０％を超える、共役ジエン由来の単位のモル比を有する少なくとも１種のジエンエラストマーをエマルションで調製する工程、及び、次いで、
（ｉｉ）１３０〜２００℃の最大温度で架橋系なしの、工程（ｉ）で得られたエラストマー、強化無機充填剤及び多硫化アルコキシシランを含む、強化無機充填剤／ジエンエラストマー結合剤を含む前記組成物の構成成分の熱機械的作業の第一段階、次いで、前記架橋系が導入される、１２０℃未満での機械的作業の第二段階を含む事を特徴とする方法。
【請求項２７】
前記熱機械的作業の第一段階が、耐酸化剤なしで前記第一段階で使用される前記構成成分が一緒に混合される第一工程、及び耐酸化剤が導入され、前記第一工程の構成成分と混合される第二工程を含み、その後の架橋を活性化する為に酸化亜鉛が前記第一段階中に添加され、前記酸化亜鉛の全てが熱機械的作業の前記第一段階の前記第一工程中に導入される、請求項２６に記載の方法。
【請求項２８】
熱機械的作業の前記第一段階が、耐酸化剤なしで前記構成成分が一緒に混合される第一工程、及び耐酸化剤が導入され、前記第一工程の構成成分と混合される第二工程を含み、その後の架橋を活性化する為に酸化亜鉛が前記第一段階中に添加され、熱機械的作業の前記第一段階の前記第一工程中に酸化マグネシウムを添加する事から成る、請求項２６又は２７に記載の方法。
【請求項２９】
請求項１〜２５のいずれか１項に記載の架橋性又は架橋ゴム組成物を含む事を特徴とするタイヤ用トレッド。
【請求項３０】
前記架橋性又は架橋ゴム組成物で造られる、請求項２９に記載のタイヤ用トレッド。
【請求項３１】
請求項２９又は３０のトレッドを含む事を特徴とする、ローリング抵抗を少なくしたタイヤ。